【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
記録ヘッドと記録媒体との複数回の相対移動により前記記録媒体の画素領域に画像を形成するために、当該画素領域に対応する多値の画像データを処理する画像処理装置であって、
前記多値の画像データを前記複数回の相対移動に対応する複数の分割多値データに分割した後に、当該複数の分割多値データをそれぞれ量子化する第１の処理モード、あるいは、前記多値の画像データを量子化して量子化データを得た後に、前記量子化データを前記複数回の相対移動に対応する複数の分割量子化データに分割する第２の処理モードを選択可能な選択部を備え、
前記選択部は、前記画素領域に対する前記相対移動の回数に基づいて、前記第１の処理モードあるいは前記第２の処理モードを選択することを特徴とする画像処理装置。
【請求項２】
前記選択部は、前記相対移動の回数が第１の回数の場合には前記第１の処理モードを選択し、前記相対移動の回数が前記第１の回数よりも少ない第２の回数の場合には前記第２の処理モードを選択することを特徴とする請求項１に記載の画像処理装置。
【請求項３】
前記選択部は、前記相対移動の回数が第１の回数の場合には前記第２の処理モードを選択し、前記相対移動の回数が前記第１の回数よりも少ない第２の回数の場合には前記第１の処理モードを選択することを特徴とする請求項１に記載の画像処理装置。
【請求項４】
前記第１の処理モードを実行する第１の画像処理部は、前記多値の画像データを前記複数の分割多値データに分割するための分割処理を行う第１の分割手段と、前記第１の分割手段により分割された複数の分割多値データをそれぞれ量子化するための量子化処理を行う第１の量子化手段とを含み、
前記第２の処理モードを実行する第２の画像処理部は、前記多値の画像データを量子化するための量子化処理を行う第２の量子化手段と、前記第２の量子化手段により量子化された量子化データを前記複数回の相対移動に対応する前記複数の分割量子化データに分割するための分割処理を行う第２の分割手段とを含むことを特徴とする請求項１乃至３のいずれかに記載の画像処理装置。
【請求項５】
前記第１の量子化手段は、前記複数回の相対移動のうちの先行する相対移動に対応する分割多値データに対して行われた量子化処理の結果に基づいて、前記複数回の相対移動のうちの後続の相対移動に対応する分割多値データに対して量子化処理を行うことを特徴とする請求項４に記載の画像処理装置。
【請求項６】
前記第１の量子化手段および前記第２の量子化手段の少なくとも一方は、前記量子化処理として、誤差拡散法による２値化処理を行うことを特徴とする請求項４に記載の画像処理装置。
【請求項７】
前記第１の量子化手段および前記第２の量子化手段の少なくとも一方は、前記量子化処理として、ディザマトリクス法による２値化処理を行うことを特徴とする請求項４に記載の画像処理装置。
【請求項８】
前記相対移動は、前記記録媒体に対して前記記録ヘッドを相対的に移動させる動作、あるいは、前記記録ヘッドに対して前記記録媒体を相対的に移動させる動作であることを特徴とする請求項１乃至７のいずれかに記載の画像処理装置。
【請求項９】
記録ヘッドと記録媒体とのＮ（Ｎは２以上の整数）回の相対移動により前記記録媒体の画素領域に画像を形成するために、当該画素領域に対応する多値の画像データを処理する画像処理装置であって、
前記多値の画像データを前記Ｎ回の相対移動に対応するＮ個の分割多値データに分割した後に、当該Ｎ個の分割多値データをそれぞれ２値化してＮ個の分割２値データを生成するための第１の画像処理部と、
前記多値の画像データを２値化して２値データを生成した後に、当該２値データを前記Ｎ回の相対移動に対応するＮ個の分割２値データに分割するための第２の画像処理部と、
前記Ｎの値に基づいて、前記多値画像データを処理するための画像処理部として、前記第１の画像処理部あるいは前記２の画像処理部を選択する選択部と、
を備えることを特徴とする画像処理装置。
【請求項１０】
記録ヘッドと記録媒体との複数回の相対移動により前記記録媒体の画素領域に画像を形成するための画像形成装置であって、
請求項１乃至９のいずれかに記載の画像処理装置と、
前記画像処理装置により処理された画像データに基づいて、前記記録ヘッドを駆動する駆動手段と、
を備えることを特徴とする画像形成装置。
【請求項１１】
記録ヘッドと記録媒体との複数回の相対移動により前記記録媒体の画素領域に画像を形成するために、当該画素領域に対応する多値の画像データを処理する画像処理方法であって、
前記多値の画像データを前記複数回の相対移動に対応する複数の分割多値データに分割した後に、当該複数の分割多値データをそれぞれ量子化する第１の処理モード、あるいは、前記多値の画像データを量子化して量子化データを得た後に、前記量子化データを前記複数回の相対移動に対応する複数の分割量子化データに分割する第２の処理モードを選択する選択工程を有し、
前記選択工程では、前記画素領域に対する前記相対移動の回数に基づいて、前記第１の処理モードあるいは前記第２の処理モードを選択することを特徴とする画像処理方法。
【請求項１２】
前記選択工程では、前記相対移動の回数が第１の回数の場合には前記第１の処理モードを選択し、前記相対移動の回数が前記第１の回数よりも少ない第２の回数の場合には前記第２の処理モードを選択することを特徴とする請求項１１に記載の画像処理方法。
【請求項１３】
前記選択工程では、前記相対移動の回数が第１の回数の場合には前記第２の処理モードを選択し、前記相対移動の回数が前記第１の回数よりも少ない第２の回数の場合には前記第１の処理モードを選択することを特徴とする請求項１１に記載の画像処理方法。
【請求項１４】
コンピュータを、請求項１乃至９のいずれかに記載の画像処理装置の各手段として機能させるためのプログラム。
【手続補正２】
【補正対象書類名】明細書
【補正対象項目名】００２０
【補正方法】変更
【補正の内容】
【００２０】
上記課題を解決するための本発明は、記録ヘッドと記録媒体との複数回の相対移動により前記記録媒体の画素領域に画像を形成するために、当該画素領域に対応する多値の画像データを処理する画像処理装置であって、前記多値の画像データを前記複数回の相対移動に対応する複数の分割多値データに分割した後に、当該複数の分割多値データをそれぞれ量子化する第１の処理モード、あるいは、前記多値の画像データを量子化して量子化データを得た後に、前記量子化データを前記複数回の相対移動に対応する複数の分割量子化データに分割する第２の処理モードを選択可能な選択部を備え、前記選択部は、前記画素領域に対する前記相対移動の回数に基づいて、前記第１の処理モードあるいは前記第２の処理モードを選択することを特徴とする。
【手続補正３】
【補正対象書類名】明細書
【補正対象項目名】００２１
【補正方法】変更
【補正の内容】
【００２１】
また、他の本発明は、記録ヘッドと記録媒体との複数回の相対移動により前記記録媒体の画素領域に画像を形成するための画像形成装置であって、上記に記載の画像処理装置と、前記画像処理装置により処理された画像データに基づいて、前記記録ヘッドを駆動する駆動手段と、を備えることを特徴とする。
【手続補正４】
【補正対象書類名】明細書
【補正対象項目名】００２２
【補正方法】変更
【補正の内容】
【００２２】
また、他の本発明は、記録ヘッドと記録媒体とのＮ（Ｎは２以上の整数）回の相対移動により前記記録媒体の画素領域に画像を形成するために、当該画素領域に対応する多値の画像データを処理する画像処理装置であって、前記多値の画像データを前記Ｎ回の相対移動に対応するＮ個の分割多値データに分割した後に、当該Ｎ個の分割多値データをそれぞれ２値化してＮ個の分割２値データを生成するための第１の画像処理部と、前記多値の画像データを２値化して２値データを生成した後に、当該２値データを前記Ｎ回の相対移動に対応するＮ個の分割２値データに分割するための第２の画像処理部と、前記Ｎの値に基づいて、前記多値画像データを処理するための画像処理部として、前記第１の画像処理部あるいは前記２の画像処理部を選択する選択部と、を備えることを特徴とする。
【手続補正５】
【補正対象書類名】明細書
【補正対象項目名】００２３
【補正方法】変更
【補正の内容】
【００２３】
さらに、他の本発明は、記録ヘッドと記録媒体との複数回の相対移動により前記記録媒体の画素領域に画像を形成するために、当該画素領域に対応する多値の画像データを処理する画像処理方法であって、前記多値の画像データを前記複数回の相対移動に対応する複数の分割多値データに分割した後に、当該複数の分割多値データをそれぞれ量子化する第１の処理モード、あるいは、前記多値の画像データを量子化して量子化データを得た後に、前記量子化データを前記複数回の相対移動に対応する複数の分割量子化データに分割する第２の処理モードを選択する選択工程を有し、前記選択工程では、前記画素領域に対する前記相対移動の回数に基づいて、前記第１の処理モードあるいは前記第２の処理モードを選択することを特徴とする。
【手続補正６】
【補正対象書類名】明細書
【補正対象項目名】００２４
【補正方法】変更
【補正の内容】
【００２４】
更にまた、他の本発明は、コンピュータを、上記記載の画像処理装置の各手段として機能させるためのプログラムであることを特徴とする。